(57)【要約】【課題】シトラール含有製品のシトラールは製造、流通、保存等の各段階で環化、水和、異性化等の反応によりその構造が変化し、さらに酸化反応によりｐ−クレゾール、ｐ−メチルアセトフェノン等の非常に強い劣化臭を生じる。それ故、安全性が高く、しかも製品本来の香味に影響を与えることのないシトラール由来の劣化臭の生成抑制剤及びその抑制方法を提供することである。【解決手段】アシタバ、アボカド、オオバコ、半発酵茶葉、エビスグサおよびサンザシからなる群より選ばれる少なくとも１種の溶媒抽出物含有することを特徴とするシトラール又はシトラール含有製品の劣化臭生成抑制剤である。【選択図】なし【特許請求の範囲】
【請求項１】
アシタバ、アボカド、オオバコ、半発酵茶葉、エビスグサおよびサンザシからなる群より選ばれる少なくとも１種の溶媒抽出物を含有することを特徴とするシトラール又はシトラール含有製品の劣化臭生成抑制剤。
【請求項２】
前記溶媒抽出物が、水、極性有機溶媒またはこれらの混合物で抽出して得られるものである請求項１記載のシトラール又はシトラール含有製品の劣化臭生成抑制剤。
【請求項３】
劣化臭がｐ−クレゾール及びｐ−メチルアセトフェノンによる劣化臭である請求項１又は２記載のシトラール又はシトラール含有製品の劣化臭生成抑制剤。
【請求項４】
シトラール含有製品がシトラス系香料であることを特徴とする請求項１乃至３のいずれかの項に記載のシトラール含有製品の劣化臭生成抑制剤。
【請求項５】
シトラール含有製品がシトラス系飲料又はシトラス系菓子類であることを特徴とする請求項１乃至３のいずれかの項に記載のシトラール含有製品の劣化臭生成抑制剤。
【請求項６】
シトラール含有製品が香粧品であることを特徴とする請求項１乃至３のいずれかの項に記載のシトラール含有製品の劣化臭生成抑制剤。
【請求項７】
請求項１乃至６のいずれかの項に記載の劣化臭生成抑制剤を１〜５００ｐｐｍ添加することを特徴とするシトラール又はシトラール含有製品の劣化臭生成抑制方法。
【請求項８】
請求項１乃至６のいずれかの項に記載の劣化臭生成抑制剤が１〜５００ｐｐｍ添加されてなるシトラール又はシトラール含有製品。
【発明の詳細な説明】
【技術分野】
【０００１】
本発明は、シトラール又はシトラールを含有する製品に広く適用することができるシトラールの劣化臭生成抑制剤並びその生成抑制方法に関する。
【背景技術】
【０００２】
シトラールはレモン様の特徴的な香りを有する重要な成分であるが、加熱もしくは経時的に減少しオフフレーバーが生成することが知られている（非特許文献１参照）。特に酸性条件下ではシトラール含有製品中のシトラールは、製造、流通、保存期間中の各段階で減少し、環化、水和、異性化等の反応によりその構造が変化し、その結果フレッシュ感の低下を引き起こす。さらにはシトラール由来の生成物の酸化反応により非常に強い劣化臭原因物質であるｐ−メチルアセトフェノン及びｐ−クレゾールが生成することにより著しい製品の品質低下を招く。従来、シトラールから生成する種々の劣化臭原因物質に関して、その発生防止の目的でイソアスコルビン酸等の酸化防止剤の添加（非特許文献２参照）等様々な試みがなされたが、ｐ−クレゾールおよびｐ−メチルアセトフェノンの生成抑制に関しては有効な方法は見出されていない。
【０００３】
そこで加熱若しくは経時的に生成するシトラールの劣化臭、特にｐ−クレゾール及びｐ−メチルアセトフェノンの生成に対して強い生成抑制効果を有すると同時に、安全で安価なシトラールの劣化抑制剤もしくは劣化抑制方法が要望されてきた。
【非特許文献１】Peter Schieberle and Werner Grosch; J. Agric. Food Chem., 36, 797-800(1988)
【非特許文献２】Val E. Peacock and David W. Kuneman; J. Agric. Food Chem., 33, 330-335(1985)
【発明の開示】
【発明が解決しようとする課題】
【０００４】
本発明は上記従来技術における問題点に鑑み、シトラール又はシトラール含有製品の製造、流通、保存等の各段階で、加熱もしくは経時的に生成するシトラール由来の劣化臭原因物質（ｐ−クレゾール及びｐ−メチルアセトフェノン）の生成を抑制でき、また安全性が高く、しかも最終製品本来の香味又は香気に影響を与えることのない劣化臭生成抑制剤並びに劣化臭生成抑制方法を提供することを目的とする。
【課題を解決するための手段】
【０００５】
本発明者らは、加熱によるシトラールの劣化臭生成について詳細に検討した結果、特定の植物又は半発酵茶葉、発酵茶葉の溶媒抽出物が、シトラール又はシトラール含有製品の非常に強い劣化臭原因物質であるｐ−クレゾール及びｐ−メチルアセトフェノンの生成抑制に顕著な効果があることを見出し本発明を完成するに至った。
【０００６】
すなわち、本発明はシトラール又はシトラール含有製品に、アシタバ、アボカド、オオバコ、半発酵茶葉、発酵茶葉、エビスグサおよびサンザシからなる群より選ばれる少なくとも１種の溶媒抽出物を含有することを特徴とするシトラール又はシトラール含有製品の劣化臭生成抑制剤である。
さらに溶媒が水、極性有機溶媒又はこれらの混合物であることを特徴とする。
【発明の効果】
【０００７】
本発明の劣化臭生成抑制剤をシトラール又はシトラールを含有する製品に使用することにより、経時変化もしくは加熱によるシトラール由来の劣化臭生成を効果的に抑制することができる。よって、本発明の劣化臭生成抑制剤の使用により、シトラール含有製品中の製造、流通、保存期間中の各段階で徐々に進行する劣化臭の生成を効率的に抑制し、フレッシュ感を維持することにより、安価かつ長期間安定に製品の品質を維持することができる。
【発明を実施するための最良の形態】
【０００８】
以下、本発明をさらに詳細に説明する。
（１）原材料
本発明に使用する植物は、下記に列挙した群から選ばれる少なくとも１種であり、これらは単独で又は併せて使用することができる。
アシタバ（学名：Angelica  keiskei（Miq.）Koidz.）
アボカド（学名：Persea  Americana）
オオバコ（学名：Plantago  asiatica  L.）
エビスグサ（学名：Cassia  obtusifolia  L.  又は  C.  tora  L）
サンザシ（学名：Crataegus  cuneata  Sieb.  et  Zucc.）
上記の植物については、根、茎（枝幹）、葉、果実を原材料として後述の抽出処理に付される。アシタバについては茎又は葉、アボカドは果皮、サンザシは果実、エビスグサは種子、オオバコは種子又は葉を使用することが好ましい。
半発酵茶葉、発酵茶葉はいずれも茶（Camellia sinensis var. sinensis又はCamellia sinensis var. assamica）の生葉からつくられ、発酵度の違いにより半発酵茶と発酵茶に分類される。半発酵茶は茶の生葉を萎凋・撹拌する際に、生葉のカテキン類などを自らの酸化酵素（ポリフェノールオキシダーゼ）で３０〜７０％発酵（酸化）させてつくられる。発酵茶は生葉を萎凋・揉捻後、自らの酸化酵素で完全に発酵させてつくられる。半発酵茶の例としてウーロン茶、包種茶、発酵茶の例として紅茶、紅だん茶が挙げられるが、半発酵茶葉としてはウーロン茶葉、発酵茶葉としては紅茶葉を用いることが好ましい。
【０００９】
（２）抽出処理
（ア）溶媒
抽出処理に使用する溶媒は、水又は極性有機溶媒であり、有機溶媒は含水物であっても良い。
極性有機溶媒としては、アルコール、アセトン、酢酸エチル等が上げられる。中でも人体への安全性と取扱性の観点から水またはエタノール、プロパノール、ブタノールのような炭素数２〜４の脂肪族アルコールが望ましい。特に水又はエタノール又はこれらの混合物が望ましい。
抽出に用いる溶媒の量は任意に選択できるが、一般には上記原材料1重量部に対し溶媒量２〜１００重量部を使用する。
なお、抽出の前処理としてヘキサン等の非極性有機溶媒であらかじめ脱脂処理をし、後の抽出処理時に余分な脂質が抽出されるのを防止することもできる。またこの脱脂処理で結果的に脱臭等の精製ができる場合がある。また脱臭の目的で抽出前に水蒸気蒸留処理を施してもよい。
【００１０】
（イ）抽出処理方法
抽出処理方法としては、溶媒の種類、量等により種々の方法を採用することができる。例えば前記各種天然物を粉砕したものを溶媒中に入れ、浸漬法又は加熱還流法で抽出することができる。なお浸漬法による場合は加熱条件下、室温又は冷却条件下のいずれであってもよい。
ついで、溶媒に不溶な固形物を除去して抽出液を得るが、固形物除去方法としては遠心分離、濾過、圧搾等の各種の固液分離手段を用いることができる。
得られた抽出液はそのままでもシトラール劣化臭生成抑制剤として使用できるが、例えば水、エタノール、グリセリン、トリエチルシトレート、ジプロピレングリコール、プロピレングリコール等の液体希釈剤で適宜希釈して使用してもよい。またはデキストリン、シュークロース、ペクチン、キチン等を加えることもできる。これらをさらに濃縮してペースト状の抽出エキスとしても、また凍結乾燥又は加熱乾燥などの処理を行い粉末として使用してもよい。
また超臨界抽出による抽出、分画、または脱臭処理したものも使用可能である。
【００１１】
（ウ）精製
上記方法で得られた抽出物は、そのままシトラール含有製品に配合することができるが、さらに、脱色、脱臭等の精製処理をすることができる。精製処理には活性炭や多孔性のスチレン-ジビニルベンゼン共重合体からなる合成樹脂吸着剤などが使用できる。精製用の合成樹脂吸着剤としては例えば三菱化学株式会社製「ダイヤイオンＨＰ−２０（商品名）」やオルガノ株式会社製「アンバーライトＸＡＤ−２（商品名）」などが使用できる。
【００１２】
（３）劣化臭生成抑制剤の調製
劣化臭生成抑制剤は、上記のとおり得られた抽出物を原材料として例えば以下のように調製される。
一般的には各種成分を組み合わせて、例えば水、アルコール、グリセリン、プロピレングリコール等の（混合）溶剤に適当な濃度で溶解させて（具体的には、水／エタノール、水／エタノール／グリセリン、水／グリセリン等の混合溶剤）液剤とする。また、各種成分の溶液に賦形剤（デキストリン等）を添加し噴霧乾燥によりパウダー状にすることも可能であり、用途に応じて種々の剤形を採用することができる。
【００１３】
（４）用法
本発明の劣化臭生成抑制剤又は劣化臭生成抑制方法を適用し得る製品としては特に限定はなく、シトラス系香料の他、食品では店頭陳列される場合が多い炭酸飲料、果汁、果汁飲料、乳性飲料、茶飲料等のシトラス系飲料、シトラール含有のヨーグルト、ゼリー、アイスクリーム等の冷菓、キャンディー、水飴、ガム等の菓子等、食品素材、シトラス系香料等の食品添加物、各種シトラス風味のドレッシング等が挙げられる。食品以外ではシトラールを含有する香水、化粧品、洗口剤、歯磨、洗剤、石鹸、シャンプー、リンス、入浴剤、芳香剤等の香粧品が挙げられる。
【００１４】
本発明の劣化臭生成抑制剤はシトラール含有製品の加工段階で適宜添加することができる。添加量については、使用する劣化臭生成抑制剤の成分の純度、あるいは添加対象の種類により異なるが、一般的に１〜５００ｐｐｍの添加量が適当である。対象製品が食品の場合には、本来の香味にほとんど影響を及ぼさないという観点からは１〜２００ｐｐｍ、特に１〜１００ｐｐｍが好ましい。
また劣化臭生成抑制剤を２種類以上併用する場合の混合割合は、特に限定されるものではない。混合した抑制剤の添加量については、使用する抑制剤の成分の純度、あるいは添加対象の製品の種類により異なるが、１〜５００ｐｐｍが適当であり、特に１〜１００ｐｐｍの範囲が好ましい。
【実施例】
【００１５】
以下、本発明を実施例に基づいてさらに詳細に説明するが、本発明はこれらの実施例に限定されるものではない。
各天然物の抽出例を以下のとおり示す。
【００１６】
〔抽出例１〕
乾燥したアシタバの葉１００gに、５０重量％エタノール水溶液１０００ｇを加え１時間、加熱還流して抽出した。不溶物を濾過により除去した後、濾液を１０ｇの活性炭にて脱色した。濾過により活性炭を除去後、濾液を１５０ｇまで減圧で濃縮した。
この濃縮液５０ｇを多孔性合成吸着剤（ダイヤイオンＨＰ−２０）１００ｍｌに吸着させた。水４００ｍｌを用いて洗浄後、５０重量％エタノール水溶液４００ｍｌで溶出した。溶出液を減圧濃縮後、凍結乾燥し茶褐色の粉末５．７ｇ（以下「アシタバ抽出物」と呼ぶ）を得た。物性は以下の通りであった。
ａ) 紫外線吸収スペクトルは図１に示すとおりである（ 測定濃度：１０ppm、希釈溶剤：５０重量％エタノール水溶液）。
λmax：２８６nm
ｂ) 溶解性：水に可溶、５０重量％エタノール水溶液に易溶、エタノールに不溶。
【００１７】
〔抽出例２〕
乾燥したアボカド果皮５０ｇを粉砕し、５０重量％エタノール水溶液５００ｇを加え１時間還流して抽出した。
不溶物を濾過により除去した後、濾液を濃縮、凍結乾燥し赤褐色の粉末（以下「アボカド抽出物」と呼ぶ）１１．２ｇ得た。この抽出物の物性は以下の通りであった。
ａ) 紫外線吸収スペクトルは図２に示すとおりである（ 測定濃度：１０ppm、希釈溶剤：５０重量％エタノール水溶液）。
λmax：２８０nm、２０１nm
ｂ） 溶解性：水に可溶、５０重量％エタノール水溶液に易溶、エタノールに不溶。
【００１８】
〔抽出例３〕
乾燥したオオバコ種子１００ｇを粉砕し、２ｋｇの２５重量％エタノール水溶液に入れ、１時間、加熱還流して抽出した。不溶物を濾過後、濾液を減圧下で濃縮した。濃縮液を凍結乾燥し、暗褐色粉末５．９ｇ（以下「オオバコ抽出物」と呼ぶ）を得た。この抽出物の物性は以下の通りであった。
ａ） 紫外線吸収スペクトルは図３に示すとおりである（ 測定濃度：１０ppm、希釈溶剤：２５重量％エタノール水溶液）。
λmax：３３０nm、２８５nm
ｂ） 溶解性：水に可溶、５０重量％エタノール水溶液に易溶、エタノールに不溶。
【００１９】
〔抽出例４〕
紅茶葉５０ｇを、９５重量％エタノール水溶液１kg中に入れ、１時間、加熱還流して抽出した。不溶物を濾過により除去した後、濾液に活性炭５ｇを添加し室温で１時間撹拌した。活性炭を濾過により除去後、減圧濃縮した。
続いて濃縮物を凍結乾燥し茶褐色の粉末１０．１ｇ（以下「紅茶抽出物」と呼ぶ）を得た。この抽出物の物性は以下の通りであった。
ａ） 紫外線吸収スペクトルは図４に示すとおりである（ 測定濃度：１０ppm、希釈溶剤：９５重量％エタノール水溶液）。
λmax：２７３nm、２０７nm
ｂ） 溶解性：水に不溶、５０重量％エタノール水溶液に可溶、エタノールに易溶
【００２０】
〔抽出例５〕
ウーロン茶葉１００ｇを、５０重量％エタノール水溶液２kg中に入れ、１２時間、室温で静置抽出した。不溶物を濾過により除去した後、減圧濃縮し、続いて濃縮物を凍結乾燥して茶褐色の粉末２５ｇ（以下「ウーロン茶抽出物」と呼ぶ）を得た。この抽出物の物性は以下の通りであった。
ａ） 紫外線吸収スペクトルは図５に示すとおりである（ 測定濃度：１０ppm、希釈溶剤：５０重量％エタノール水溶液）。
λmax：２７４nm、２０５nm
ｂ） 溶解性：水に可溶、５０重量％エタノール水溶液に易溶、エタノールに不溶
【００２１】
〔抽出例６〕
乾燥したエビスグサの種子５０ｇを粉砕し、５０重量％エタノール水溶液１０００ｇで２時間加熱還流し、不溶物を濾過した。濾液を１０ｇの活性炭を添加し室温で１時間撹拌した。活性炭を濾過により除去後、濾液を１００ｇまで減圧下で濃縮した。
この濃縮液１００ｇを多孔性合成吸着剤（ダイヤイオンＨＰ−２０）１００ｍlに吸着させた。水４００ｍｌを用いて洗浄後、５０％重量エタノール水溶液４００ｍｌで溶出した。溶出液を減圧濃縮後、凍結乾燥して褐色の粉末２．０ｇ（以下「エビスグサ抽出物」と呼ぶ）を得た。この抽出物の物性は以下の通りであった。
ａ） 紫外線吸収スペクトルは図６に示すとおりである（ 測定濃度：１０ppm、希釈溶剤：５０重量％エタノール水溶液）。
λmax：２７７nm、２７９nm、２２４nm
ｂ） 溶解性：水に可溶、５０重量％エタノール水溶液に易溶、エタノールに不溶。
【００２２】
〔抽出例７〕
乾燥したサンザシ果実５０ｇを粉砕し、５０重量％エタノール水溶液２５０ｇ中に入れ、１時間、加熱還流して抽出した。不溶物を濾過により除去した後、減圧濃縮し、続いて濃縮物を凍結乾燥して茶褐色の粉末５ｇ（以下「サンザシ抽出物」と呼ぶ）を得た。この抽出物の物性は以下の通りであった。
ａ） 紫外線吸収スペクトルは図７に示すとおりである（ 測定濃度：１０ppm、希釈溶剤：５０重量％エタノール水溶液）。
λmax：２８０nm
ｂ） 溶解性：水に可溶、５０重量％エタノール水溶液に易溶、エタノールに不溶
【００２３】
試験例および実施例において単品試薬として以下のものを使用した。
１）Ｌ−アスコルビン酸：
ナカライテスク(株)製のＬ（＋）−アスコルビン酸を使用した。
２）ルチン：
ナカライテスク(株)製のルチンを使用した。
３）クロロゲン酸：
和光純薬(株)製のクロロゲン酸を使用した。
【００２４】
上記劣化臭生成抑制剤をレモンモデル飲料に添加し、ｐ−クレゾール、ｐ−メチルアセトフェノンの生成抑制効果を評価した。
〔試験例１〕
１／１０Ｍクエン酸−１／５Ｍリン酸水素二ナトリウムで調整したｐＨ３.０の緩衝溶液に、蔗糖を５重量％、シトラールを１０ppmとなるように添加し酸性シトラール溶液を調製した。この溶液に各種劣化臭生成抑制剤及び比較例として強い抗酸化効果を有するＬ−アスコルビン酸、ルチン、クロロゲン酸を添加し（Ｌ−アスコルビン酸は１重量％／水溶液として、それら以外は１重量％／５０重量％エタノール水溶液として添加した）、１００ml容量のガラスバイアル（ポリテトラフルオロエチレン製キャップ付き）に各１００ｇ詰めた。それぞれのバイアルを恒温槽中（５０℃）にて７日間保管した。各酸性シトラール溶液をジクロロメタンで抽出後、ガスクロマトグラフィーにてｐ−クレゾール及びｐ−メチルアセトフェノンの生成量を測定した。表１にｐ−クレゾール、ｐ−メチルアセトフェノンの生成量を無添加５０℃、７日間保管品でのｐ−クレゾール、ｐ−メチルアセトフェノンの生成量を１００とした場合の相対値で表した。
【００２５】
【表１】
2008280539.tif 000002
【００２６】
〔試験例２〕  レモン風味飲料
砂糖５０ｇ、クエン酸１ｇ、シトラールを含有するレモン香料２ｇ及び各種劣化臭生成抑制剤の１重量％／５０重量％エターノール水溶液を表２の濃度になるよう適量添加し、精製水で全量を１０００ｇに調整した。同様に、比較例として劣化臭生成抑制剤に代えて酸化防止剤（Ｌ−アスコルビン酸、ルチン、クロロゲン酸）の１重量％／５０重量％エターノール水溶液各６ｇを添加した溶液を調製した。この溶液を７０℃にて1０分間殺菌後、缶につめ、レモン風味飲料を作成し、５０℃にて７日間、恒温槽中で保管した。習熟したパネル１０名を選んで官能評価を行った。対照レモン風味飲料として劣化臭生成抑制剤及び酸化防止剤無添加の冷蔵保管品（評価点：０）と、劣化臭生成抑制剤および酸化防止剤無添加の５０℃、７日間保管品（評価点：４）を使用し、各レモン風味飲料の香味の劣化度合いを相対評価した。その結果は表２のとおりである。
なお、表２中の評価の点数は以下の基準で採点した各パネルの平均点である。
（採点基準）
異味、異臭*を非常に強く感じる：４点
異味、異臭*を強く感じる      ：３点
異味、異臭*を感じる          ：２点
異味、異臭*を若干感じる      ：１点
異味、異臭*を感じない        ：０点
* ｐ−クレゾール様（薬品臭）、ｐ−メチルアセトフェノン様（桂皮様）の異臭
【００２７】
【表２】
2008280539.tif 000003
【００２８】
表２から明らかなように、アシタバ、アボカド、オオバコ、紅茶、ウーロン茶、エビスグサ、サンザシ各々の抽出物からなる劣化臭生成抑制剤をレモン風味飲料に添加することにより、ｐ−クレゾール様及びｐ−メチルアセトフェノン様の劣化臭の生成を強く抑制した。一方、ルチン、クロロゲン酸、Ｌ−アスコルビン酸を添加してもｐ−クレゾール様及びｐ−メチルアセトフェノン様の劣化臭生成抑制効果はほとんど認められなかった。
【００２９】
〔試験例３〕  弱酸性リンス用モデルベース（ｐＨ ２.９５）
下記の処方により弱酸性リンス用モデルベースを作成した。
メチルパラベン                            ０.１ｇ
ポリオキシエチレン硬化ヒマシ油            ０.３ｇ
９５％エタノール                          １.０ｇ
クエン酸                                  ２.０ｇ
クエン酸ソーダ                            ０.９ｇ
精製水                                  ９６.６ｇ
【００３０】
上記モデルベース１００ｇにレモン香料０.５ｇ及び各種劣化臭生成抑制剤の１重量％／５０重量％エタノール水溶液を０.３ｇ添加して弱酸性リンス用モデルベースを作成し、４０℃にて１４日間、恒温槽中で保管した。同様に比較例の酸化防止剤としてルチン、クロロゲン酸、Ｌ−アスコルビン酸を表３に示す濃度添加して弱酸性リンス用モデルベースを作成し、４０℃にて１４日間、恒温槽中で保管し弱酸性リンス用モデルベースを作成した。習熟したパネル１０名を選んで官能評価を行った。対照として劣化臭生成抑制剤及び酸化防止剤無添加の香料入りモデルベース冷蔵保管品（評価点：０）と、劣化臭生成抑制剤及び酸化防止剤無添加の香料入り４０℃、１４日間保管品（評価点：４）を使用し、各種劣化臭生成抑制剤及び酸化防止剤を添加した香料入りモデルベースの劣化度合いを相対評価した。その結果は表３のとおりである。
なお、表３中の評価の点数は以下の基準で採点した各パネルの平均点である。
（採点基準）
異臭*を非常に強く感じる：４点
異臭*を強く感じる      ：３点
異臭*を感じる          ：２点
異臭*を若干感じる      ：１点
異臭*を感じない        ：０点
* ｐ−クレゾール様（薬品臭）およびｐ−メチルアセトフェノン様（桂皮様）の異臭
【００３１】
【表３】
2008280539.tif 000004
【００３２】
表３から明らかなように、アシタバ、アボカド、オオバコ、紅茶、ウーロン茶、エビスグサおよびサンザシ各々の抽出物からなる劣化臭生成抑制剤を弱酸性リンス用モデルベースに添加することにより、ｐ−クレゾール様及びｐ−メチルアセトフェノン様の劣化臭の生成を強く抑制した。一方、強い酸化防止剤であるルチン、クロロゲン酸、Ｌ−アスコルビン酸を添加してもｐ−クレゾール様及びｐ−メチルアセトフェノン様の劣化臭生成抑制効果はほとんど認められなかった。
【００３３】
〔実施例１〕アシタバ抽出物の実施例（殺菌乳酸菌飲料）
発酵乳原液（全固形分５４％、無脂乳固形分４％）２０ｇに蒸留水を加えて合計１００ｇとなるように希釈した。レモン香料０.１ｇ及びアシタバ抽出物の１重量％／５０重量％エタノール水溶液を０.３ｇ添加し、ガラス容器に充填後、殺菌（７０℃、１０分間）し、殺菌乳酸菌飲料を完成した。
【００３４】
〔実施例２〕アボカド抽出物、サンザシ抽出物＋オオバコ抽出物（重量比１：１混合物）の実施例(ヨーグルト飲料)
牛乳９４ｇ、脱脂粉乳６ｇを混合後、殺菌（９０〜９５℃、５分間）した。４８℃に冷却した後、スターターを接種した。これを４０℃、４時間発酵させた。冷却後、５℃にて保存しヨーグルトベースとした。一方、糖液は上白糖２０ｇ、ペクチン１ｇ、水７９ｇを混合後、９０〜９５℃で５分間過熱し、ホットパック充填したものを使用した。上記ヨーグルトベース６０ｇ、糖液４０ｇ、シトラス香料０.１ｇ、１重量％アボカド抽出物／５０重量％エタノール水溶液０.３ｇを混合し、ホモミキサー処理し完成した。同様にサンザシ抽出物＋オオバコ抽出物の重量比１：１混合物についても、混合物としての濃度が１重量％となるように５０重量％エタノール水溶液に溶解し、この溶液を上記ヨーグルトベースに０.３ｇ添加してヨーグルト飲料を完成した。
【００３５】
〔実施例３〕サンザシ抽出物、エビスグサ抽出物＋ウーロン茶抽出物（重量比２：１混合物）の実施例（洗口剤）
以下の処方により洗口剤を作成した。
エタノール                                              １５.００ｇ
グリセリン                                              １０.００ｇ
ポリオキシエチレン硬化ヒマシ油                            ２.００ｇ
サッカリンナトリウム                                      ０.１５ｇ
安息香酸ナトリウム                                        ０.０５ｇ
香料（シトラール含有品）                                  ０.３０ｇ
リン酸二水素ナトリウム                                    ０.１０ｇ
着色剤                                                    ０.２０ｇ
サンザシ抽出物の１重量％／５０重量％エタノール水溶液      ０.０５ｇ
精製水                                                  ７２.１０ｇ
サンザシ抽出物の場合と同様に、エビスグサ抽出物＋ウーロン茶抽出物（重量比２：１混合物）を同濃度添加し洗口剤を作成した。
【００３６】
〔実施例４〕オオバコ抽出物、エビスグサ抽出物＋紅茶抽出物（重量比１：２混合物）の実施例（化粧水）
以下の処方により化粧水を調製した。
１,３−ブチレングリコール                                 ６０.０ｇ
グリセリン                                                ４０.０ｇ
オレイルアルコール                                          １.０ｇ
ＰＯＥ（２０）ソルビタンモノラウリン酸エステル              ５.０ｇ
ＰＯＥ（１５）ラウリルアルコールエーテル                    ５.０ｇ
９５％エタノール                                        １００.０ｇ
香料（シトラール含有品）                                    ２.０ｇ
メチルパラベン                                              １.０ｇ
クチナシ黄色素                                              ０.１ｇ
オオバコ抽出物の１重量％／５０重量％エタノール水溶液        ４.０ｇ
精製水                                                  ７８１.９ｇ
オオバコ抽出物の場合と同様に、エビスグサ抽出物＋紅茶抽出物（重量比１：２混合物）を同濃度添加し化粧水を作成した。
【図面の簡単な説明】
【００３７】
【図１】抽出例１におけるアシタバ抽出物の紫外線吸収スペクトル図
【図２】抽出例２におけるアボカド抽出物の紫外線吸収スペクトル図
【図３】抽出例３におけるオオバコ抽出物の紫外線吸収スペクトル図
【図４】抽出例４における紅茶抽出物の紫外線吸収スペクトル図
【図５】抽出例５におけるウーロン茶抽出物の紫外線吸収スペクトル図
【図６】抽出例６におけるエビスグサ抽出物の紫外線吸収スペクトル図
【図７】抽出例７におけるサンザシ抽出物の紫外線吸収スペクトル図
【図１】
2008280539.tif 000005
【図２】
2008280539.tif 000006
【図３】
2008280539.tif 000007
【図４】
2008280539.tif 000008
【図５】
2008280539.tif 000009
【図６】
2008280539.tif 000010
【図７】
2008280539.tif 000011